(57)【特許請求の範囲】
【請求項１】
相対する表側傾斜版と裏側傾斜版とを備えて、該表側傾斜版と該裏側傾斜版と底板とによって画成される空間に中詰材が設けられ、
前記表側傾斜版は前記表側傾斜版に沿い流水を誘い込む形状をなしていることを特徴とする浄化ブロック。
【請求項２】
請求項１記載の浄化ブロックにおいて、
前記表側傾斜版の下流部に裏側傾斜版寄りに傾斜する誘引部を設けていることを特徴とする浄化ブロック。
【請求項３】
請求項２記載の浄化ブロックにおいて、
前記誘引部は、表側傾斜版の上流側から下流側に至るに従い次第に裏面傾斜板方向に彎曲していることを特徴とする浄化ブロック。
【請求項４】
請求項１〜３の何れか一項に記載の浄化ブロックを互いに縦横に組積みし、浄化ブロックを経た流水が、下流方向に隣接する浄化ブロックの内部に誘引されるようにすることを特徴とする浄化ブロックの施工方法。
【請求項５】
請求項１〜３の何れか一項に記載の浄化ブロックを、横方向に組積みされた護岸用ブロックの間に配設し、浄化ブロックを経た流水が、下流方向に隣接する護岸ブロックの内部に誘引されるようにすることを特徴とする浄化ブロックの施工方法。
【請求項６】
請求項４または５記載の浄化ブロックの施工方法において、
前記浄化ブロックは、河床から平水位を含む高さの範囲に配設されていることを特徴とする浄化ブロックの施工方法。
【発明の詳細な説明】
【０００１】
【発明の属する技術分野】
本発明は、護岸，擁壁の構築に適用される浄化ブロックに関するものである。
【０００２】
【従来の技術】
一般に、河川の護岸，擁壁には法面に沿いコンクリート製のブロックが組積、重層されているが、このようなブロックは、これまで単なる護岸，擁壁を構築するためだけであるので、地域環境・生態系になじまない工法が多かった。
【０００３】
ところが、今年、河川法改正に伴い、コンクリート表面が見えない川づくりが要求されるようになり、河川整備において、河川の生態系に及ぼす影響を考えた植生が提案され、自然環境の保全と動植物に調和した環境を考慮した護岸工法が整備されるようになってきている。
【０００４】
このような護岸工法にあっては、
Ａ）植物の繁茂による護岸、
Ｂ）繊維を絡ませて植物を繁茂させ、堤体の強度を増す、
Ｃ）自然石を被覆して流出しない護岸を創る、
Ｄ）間伐材，擬木を活用して古い伝統工法の復活、
など多種多様な工法が実施されている。
【０００５】
【発明が解決しようとする課題】
しかしながら、上記従来技術においては、何れも、自然環境の保全と動植物に調和するよう考慮され、また、河川の水際の改良・景観への配慮しつつ、魚道など魚にとってやさしい河川であるものの、河川の水質を改善するまでにはなかなか及ばないのが現状であった。
また、河川における水質浄化法も提案され、実用に供されているが、従来の水質浄化システムは、河川の河床に、浄化施設を直接設置したり、或いは下水処理施設堤外に設置して、機械的に処理するので、工期および費用がかなりかさんでしまうという問題があった。
【０００６】
本発明は、上記従来技術の問題点に鑑み、護岸機能を果たすと共に、水質を積極的に浄化することもできる浄化ブロックおよびその施工方法を提供することを課題とする。
【０００７】
上記課題を解決するために本発明においては、以下の手段を採用している。
請求項１記載の本発明は、浄化ブロックが、相対する表側傾斜版と裏側傾斜版とを備えて、該表側傾斜版と該裏側傾斜版と底板とによって画成される空間に中詰材が設けられ、前記表側傾斜版は前記表側傾斜版に沿い流水を誘い込む形状をなしていることを特徴とする。
請求項２記載の本発明は、請求項１記載の浄化ブロックにおいて、前記表側傾斜版の下流部に裏側傾斜版寄りに傾斜する誘引部を設けていることを特徴とする。
請求項３記載の発明は、請求項２記載の浄化ブロックにおいて、前記誘引部は、表側傾斜版の下流部に、上流側から下流側に至るに従い次第に裏面傾斜板方向に彎曲して形成されていることを特徴とする。
請求項４記載の発明は、浄化ブロックの施工方法が、請求項１〜３の何れか一項に記載の浄化ブロックを互いに縦横に組積みし、浄化ブロックを経た河川水が、下流方向に隣接する浄化ブロックの内部に誘引されるようにすることを特徴とする。
請求項５記載の発明は、浄化ブロックの施工方法が、請求項１〜３の何れか一項に記載の浄化ブロックを、横方向に組積みされた護岸用ブロックの間に配設し、浄化ブロックを経た流水が、下流方向に隣接する護岸用ブロックの内部に誘引されるようにすることを特徴とする。
請求項６記載の発明は、請求項４または５記載の浄化ブロックの施工方法において、前記浄化ブロックは、河床から平水位を含む高さの範囲に配設されることを特徴とする。
【０００８】
【発明の実施の形態】
以下、本発明の実施の形態を、図面に基づいて説明する。図１は本発明による浄化ブロックの一実施の形態を示し、図２は浄化ブロックを護岸施工した状態を示す全体図、図３は図２のＸ−Ｘ線に相当する断面図、図４は浄化ブロックによる河川水の流れを示す拡大の作用説明図である。
図１において、符号１は本実施の形態に係る浄化ブロックであって、相対する表側傾斜版２および裏側傾斜版３を有している。これら表側傾斜版２および裏側傾斜版３は、互いに底板４と連結部５によって所定の間隔をもって平行に配設されている。底板４は、表側傾斜版２および裏側傾斜板３の底部間に架装され、連結部５は表側傾斜版２および裏側傾斜版３間の内側中央部に両者２，３に跨るように設けられている。この場合、連結部５の下方には図１（ａ），（ｂ）に示すように左右を連絡する、つまり上流側１Ａと下流側１Ｂとを連絡する連絡路６が設けられている。
【０００９】
また、表側傾斜版２は、これに沿って河川水が流れたとき、その河川水を誘い込めるように形成されており、そのため、誘引部７が設けられている。この誘引部７は、表側傾斜版２を構成する表面板２ａと内層板２ｂとのうち、内層板２ｂの長さ方向の中央部分が図１（ａ）に示すように、裏側傾斜版３寄りに傾斜する形状をなしている。本例では、誘引部７は、浄化ブロック１の上流側１Ａから下流側１Ｂに至るに従い次第に裏側傾斜版３方向に彎曲するようになっており、表面板２ａおよび内層板２ｂを経た河川水が誘引部７の表面に沿って流れることにより、河川水を誘引できるようになっている。そして、誘引部７の表面は河川水の誘引を的確なものとするため、滑らかに仕上げられることが望ましい。
【００１０】
このような浄化ブロック１は、護岸用として施工された場合、表側傾斜版２と、裏側傾斜版３と底板４とによって画成される空間に図３，図４に示す中詰材８が設けられる。中詰材８としては、河川水が流通したとき、その河川水の水質を浄化する機能を果たすものであり、通常では礫を用いるが、これ以外として、例えば自然石，焼却灰や汚泥や廃棄物等のリサイクル材，特殊形状のプラスチック接触材，木炭等の何れか、あるいはそれらを適宜組み合わせてもよい。
なお、表面板２ａの表面には、河川に生息する藻類などが付着・養生し得るような形状をなし、また自然石などが設けられている。
【００１１】
このような浄化ブロック１を用いて河川護岸を施工するには、図２および図３に示すように、基礎コンクリート１０を打設し、次いでその上に下段ブロック１１を組積みする。
【００１２】
その後、河床から平水位Ｈを含む高さの範囲に、上記浄化ブロック１を縦横に組み積みする。この場合、本例では、河床から平水位Ｈまでの高さとして、浄化ブロック１を重ねる寸法となっているので、図２および図３に示すように、浄化ブロック１を二段に積み重ね、しかも所定の長さＬ１（３〜５ｍ程度）となるよう横方向にも組積みする。
【００１３】
また、組積みされた浄化ブロック１の横には、通常の護岸用ブロック１２が順次組積みされることにより、図２に示す特定の長さ（１３〜２５ｍ程度）Ｌ２からなる一組の護岸ブロック体となるように施工される。
【００１４】
このようにして河床から平水位Ｈを含む範囲で護岸ブロック体が施工された後、その上に通常の護岸用ブロック１３を組積みし、さらにその上に天端コンクリート１４を設けることにより、護岸壁が構築される。
なお、下段ブロック１１，浄化ブロック１，護岸用ブロック１２および１３の各々は、組積みされる度に内部に中詰材８が投入されることとなる。下段ブロック１１，護岸用ブロック１２および１３は、浄化ブロック１のような誘引部７をもっておらず、公知のものである。また、これらの施工に際しては図４に示すように、背面土１６に吸出し防止シート１５等が設けられることになる。
【００１５】
このようにして護岸施工した場合、図４に示すように、河川水が矢印方向Ｋに流れると、河川水には以下の作用が生じる。
即ち、浄化ブロック１に沿って流れる河川水は、表側傾斜版２の上流側１Ａから下流側１Ｂに至ると、表側傾斜板２に誘引部７が設けられていることから、該誘引部７によりが同図に示す矢印Ｋ１のように導かれ、隣接した下流側の浄化ブロック１の内側に流入してその中詰材８中を矢印Ｋ２のように通過し、さらにそのまま下流側の浄化ブロック１内を流通する。また、下流側の浄化ブロック１にも誘引部７が設けられているので、この誘引部７によっても河川水が誘引され、同様にして各浄化ブロック１の内側を通過することとなる。
【００１６】
そして、河川水が流通すると、浄化ブロック１内に中詰材８が設けられているので、この中詰材８が河川水と接触することによって河川水を積極的に浄化することができ、これにより、河川の水質を確実に改善することができる。
【００１７】
したがって、浄化ブロック１が護岸壁として施工されると、護岸機能を有するばかりでなく、水質を浄化させる機能を果たすので、河川が本来有している自然の浄化能力を高めることができ、水質を確実に改善することができる。そのため、従来のように水質を改善するための装置を河床に直接設置したり、下水処理施設堤外に設置したりすることが不要になり、それだけコストを省くことができるので、経済的な工事費とすることができる。
【００１８】
また、誘引部７は、図１に示すように、浄化ブロック１の表側傾斜版２に裏側傾斜版３寄りに傾斜し、しかも上流側１Ａから下流側１Ｂに至るに従い次第に彎曲して形成されているので、河川水Ｋ２が滞ることなく円滑に流れることができ、水質浄化機能をいっそう確実なものとすることができる。
【００１９】
図５は本発明による浄化ブロックの他の実施形態を示している。
この実施形態では、浄化ブロック１が護岸施工された場合、図５に示すように、護岸用ブロック１２と護岸用ブロック１２との間に横積みされている。この場合の浄化ブロック１も、図２，図３に示すよう河床から平水位Ｈを含む範囲に設けられる。
そして、河川水が浄化ブロック１によって下流に導かれると、その浄化ブロック１と下流側の護岸用ブロック１２との間から誘引され、下流側の護岸用ブロック１２内に流入して中詰材８を通過した後、それより下流側の護岸用ブロック１２内を流通することにより、水質が浄化される。
【００２０】
このように、浄化ブロック１によって河川水がそれより下流側に設けられている護岸用ブロック１２および浄化ブロック１内に誘引され、それらの中詰材８を通過して浄化されるので、基本的には前述した実施形態と同様の作用効果を得ることができる。
この実施形態では、一個の浄化ブロック１が護岸用ブロック１２と護岸用ブロック１２との間に横積みされた例を示したが、これに限らず、浄化ブロック１と護岸用ブロック１２とが一個ずつ互い違いに横積みされてもよく、要は浄化ブロック１によって河川水が中詰材８を流通するようにすればよい。
【００２１】
【発明の効果】
以上説明したように、本発明によれば、表側傾斜版により流水を誘引して積極中詰材により積極的に浄化するように構成したので、水質を確実に改善することができる結果、水質浄化装置をいちいち設置しなくとも、護岸機能と共に水質浄化機能の双方を果たすことができ、また経済的な工事費とすることができる効果がある。
【図面の簡単な説明】
【図１】本発明による浄化ブロックの一実施の形態を示す平面図（ａ），正面図（ｂ），左側面図（ｃ）および右側面図（ｄ）である。
【図２】浄化ブロックを護岸施工した状態を示す全体図である。
【図３】図２のＸ−Ｘ線に相当する断面図である。
【図４】浄化ブロックによる河川水の流れを示す拡大の作用説明図である。
【図５】本発明による浄化ブロックの他の施工例を示す図４に対応する作用説明図である。
【符号の説明】
１  浄化ブロック
１Ａ  浄化ブロックの上流側
１Ｂ  浄化ブロックの下流側
２  表側傾斜版
２ａ  表面板
２ｂ  内層板
３  裏側傾斜版
４  底板
５  連結部
６  連絡路
７  誘引部
８  中詰材
１０  基礎コンクリート
１１  下段ブロック
１２，１３  護岸用ブロック
１４  天端コンクリート
１５  吸出し防止シート
１６  背面土
【図１】
0004714386.tif 000002
【図２】
0004714386.tif 000003
【図３】
0004714386.tif 000004
【図４】
0004714386.tif 000005
【図５】
0004714386.tif 000006